(57)【要約】【課題】出力先を選択する簡易操作の使い勝手を向上させる。【解決手段】画像読取装置は、原稿の読取部、画面の表示部、前記画面に対する操作を受け付ける操作受付部、及び、出力設定に従って画像データの出力処理を行う制御部を備える。前記操作は、前記画像データを出力する出力先を選択する簡易操作を含んでいる。前記操作受付部が前記簡易操作を受け付けると、前記制御部は、前記読取部に前記原稿の読み取りを開始させ、前記原稿の読み取りが完了するまでの読取期間を含む表示期間において読み取り中を示す第一画面を前記表示部に表示させ、前記表示期間の後に前記第一画面とは異なる第二画面を前記表示部に表示させる。前記表示期間に含まれる受付期間において前記操作受付部が前記出力設定の変更操作を受け付けることが可能であり、前記変更操作が受け付けられると変更された前記出力設定に従って前記制御部が前記画像データの出力処理を行う。【選択図】図２
2020191540.tif 000002
【特許請求の範囲】
【請求項１】
外部端末と接続可能な画像読取装置であって、
原稿を読み取ることにより画像データを生成する読取部と、
画面を表示する表示部と、
前記画面に対する操作を受け付ける操作受付部と、
前記画像データを出力する出力先を含む出力設定に従って前記画像データの出力処理を行う制御部と、を備え、
前記操作は、前記出力先を選択する簡易操作を含み、
前記操作受付部が前記簡易操作を受け付けると、前記制御部は、前記読取部に前記原稿の読み取りを開始させ、前記原稿の読み取りが完了するまでの読取期間を含む表示期間において読み取り中を示す第一画面を前記表示部に表示させ、前記表示期間の後に前記第一画面とは異なる第二画面を前記表示部に表示させ、
前記表示期間に含まれる受付期間において前記操作受付部が前記出力設定の変更操作を受け付けることが可能であり、前記変更操作が受け付けられると変更された前記出力設定に従って前記制御部が前記画像データの前記出力処理を行う、
画像読取装置。
【請求項２】
前記変更操作は、前記出力先を変更する出力先変更操作を含み、
前記第一画面は、前記出力先変更操作を受け付けるための出力先変更受付部を含み、
前記操作受付部が前記出力先変更受付部に対応付けられている前記出力先変更操作を受け付けると、変更された前記出力先に前記制御部が前記画像データの出力処理を行う、
請求項１に記載の画像読取装置。
【請求項３】
前記表示期間は、前記出力設定の変更操作を受け付け可能な最低限の期間である所定期間と、前記読取期間と、のうち長い方の期間であり、
前記受付期間は、前記所定期間を含む、
請求項１又は請求項２に記載の画像読取装置。
【請求項４】
前記制御部は、前記変更操作の受け付けが完了した時点において、
前記原稿の読み取りが完了している場合に前記第二画面を前記表示部に表示させ、
前記原稿の読み取りが完了していない場合に前記第一画面を前記表示部に表示させる、
請求項１〜請求項３のいずれか一項に記載の画像読取装置。
【請求項５】
前記制御部は、変更された前記出力設定を表す情報を含む前記第一画面を前記表示部に表示させる、
請求項１〜請求項４のいずれか一項に記載の画像読取装置。
【請求項６】
変更された前記出力設定を表す情報を含む前記第一画面を前記制御部が前記表示部に表示させた後、前記受付期間において前記操作受付部が前記変更操作をさらに受け付けることが可能であり、
前記制御部は、前記変更操作がさらに受け付けられると変更された前記出力設定を表す情報を含む前記第一画面を前記表示部に表示させ、さらに変更された前記出力設定に従って前記画像データの出力処理を行う、
請求項５に記載の画像読取装置。
【請求項７】
原稿を読み取ることにより画像データを生成する読取部と、画面を表示する表示部と、を備え、前記画像データを出力する出力先を含む出力設定に従って前記画像データの出力処理を行う画像読取装置の制御方法であって、
前記出力先を選択する簡易操作を受け付ける第一工程と、
前記簡易操作が受け付けられると、前記読取部に前記原稿の読み取りを開始させ、前記原稿の読み取りが完了するまでの読取期間を含む表示期間において読み取り中を示す第一画面を前記表示部に表示させる第二工程と、
前記表示期間の後に前記第一画面とは異なる第二画面を前記表示部に表示させる第三工程と、
前記表示期間に含まれる受付期間において前記出力設定の変更操作が行われた場合に該変更操作を受け付け、変更された前記出力設定に従って前記画像データの前記出力処理を行う第四工程と、を含む、
制御方法。
【発明の詳細な説明】
【技術分野】
【０００１】
本発明は、表示画面に対する操作を受け付け可能な画像読取装置、及び、その制御方法に関する。
【背景技術】
【０００２】
画像読取装置は、例えば、タッチパネル等により送信宛先を指定する操作をユーザーから受け付けると、読取部において原稿を読み取ることにより画像データを生成し、該画像データを外部端末に送信する。特許文献１に開示された画像処理装置は、送信宛先が割り当てられたワンタッチキーや短縮ダイヤルの操作を受け付けると、送信宛先を確認するための確認画面を表示する。確認画面には、ＯＫボタンとＣａｎｃｅｌボタンが設けられている。画像処理装置は、ＯＫボタンの操作を受け付けるとデータ送信を開始し、Ｃａｎｃｅｌボタンの操作を受け付けると送信宛先を破棄して処理を終了する。
【先行技術文献】
【特許文献】
【０００３】
【特許文献１】特開２０１５−１８８２４３号公報
【発明の概要】
【発明が解決しようとする課題】
【０００４】
上述した画像処理装置のユーザーは、データを送信するためにワンタッチキーや短縮ダイヤルを操作した後、確認画面を見たうえでＯＫボタンを操作する必要があり、Ｃａｎｃｅｌボタンを操作すると改めて送信宛先を指定し画像処理装置に原稿を読み取らせる必要がある。そこで、簡単でスピーディーな操作により誤送信を抑制しながら使い勝手を改善することができると、好適である。
【課題を解決するための手段】
【０００５】
本発明の画像読取装置は、外部端末と接続可能な画像読取装置であって、
原稿を読み取ることにより画像データを生成する読取部と、
画面を表示する表示部と、
前記画面に対する操作を受け付ける操作受付部と、
前記画像データを出力する出力先を含む出力設定に従って前記画像データの出力処理を行う制御部と、を備え、
前記操作は、前記出力先を選択する簡易操作を含み、
前記操作受付部が前記簡易操作を受け付けると、前記制御部は、前記読取部に前記原稿の読み取りを開始させ、前記原稿の読み取りが完了するまでの読取期間を含む表示期間において読み取り中を示す第一画面を前記表示部に表示させ、前記表示期間の後に前記第一画面とは異なる第二画面を前記表示部に表示させ、
前記表示期間に含まれる受付期間において前記操作受付部が前記出力設定の変更操作を受け付けることが可能であり、前記変更操作が受け付けられると変更された前記出力設定に従って前記制御部が前記画像データの前記出力処理を行う、
態様を有する。
【０００６】
また、本発明の制御方法は、原稿を読み取ることにより画像データを生成する読取部と、画面を表示する表示部と、を備え、前記画像データを出力する出力先を含む出力設定に従って前記画像データの出力処理を行う画像読取装置の制御方法であって、
前記出力先を選択する簡易操作を受け付ける第一工程と、
前記簡易操作が受け付けられると、前記読取部に前記原稿の読み取りを開始させ、前記原稿の読み取りが完了するまでの読取期間を含む表示期間において読み取り中を示す第一画面を前記表示部に表示させる第二工程と、
前記表示期間の後に前記第一画面とは異なる第二画面を前記表示部に表示させる第三工程と、
前記表示期間に含まれる受付期間において前記出力設定の変更操作が行われた場合に該変更操作を受け付け、変更された前記出力設定に従って前記画像データの前記出力処理を行う第四工程と、を含む、
態様を有する。
【図面の簡単な説明】
【０００７】
【図１】画像読取システムの構成例を模式的に示すブロック図。
【図２】画面の変化例を模式的に示す図。
【図３】図３Ａ〜３Ｃは画面が切り替わるタイミングの例を模式的に示す図。
【図４】制御部が行う主処理の例を示すフローチャート。
【図５】制御部が行うダイレクト送信処理の例を示すフローチャート。
【図６】図６Ａは読み取り中を示す第一画面の例を模式的に示す図、図６Ｂは宛先変更画面の例を模式的に示す図、図６Ｃは別の第一画面の例を模式的に示す図。
【図７】図７Ａ，７Ｂは送信中を示す第二画面の例を模式的に示す図。
【図８】画像読取装置が行う逐次型スキャンの処理の例を示すフローチャート。
【図９】別のダイレクト送信処理の例を示すフローチャート。
【図１０】画面の別の変化例を模式的に示す図。
【図１１】図１１Ａは別の第一画面の例を模式的に示す図、図１１Ｂは出力設定変更画面の例を模式的に示す図、図１１Ｃは別の第一画面の例を模式的に示す図。
【発明を実施するための形態】
【０００８】
以下、本発明の実施形態を説明する。むろん、以下の実施形態は本発明を例示するものに過ぎず、実施形態に示す特徴の全てが発明の解決手段に必須になるとは限らない。
【０００９】
（１）本発明に含まれる技術の概要：
まず、図１〜１１に示される例を参照して本発明に含まれる技術の概要を説明する。尚、本願の図は模式的に例を示す図であり、これらの図に示される各方向の拡大率は異なることがあり、各図は整合していないことがある。むろん、本技術の各要素は、符号で示される具体例に限定されない。「本発明に含まれる技術の概要」において、括弧内は直前の語の補足説明を意味する。
【００１０】
態様１：
図１に例示するように、本技術の一態様に係る画像読取装置１０は、外部端末１００と接続可能な画像読取装置１０であって、原稿ＯＲ１を読み取ることにより画像データＤＡ１を生成する読取部２０と、画面Ｄ０を表示する表示部１８と、前記画面Ｄ０に対する操作を受け付ける操作受付部１９と、前記画像データＤＡ１を出力する出力先を含む出力設定に従って前記画像データＤＡ１の出力処理を行う制御部１１と、を備える。図２等に例示するように、前記操作は、前記出力先を選択する簡易操作を含んでいる。前記操作受付部１９が前記簡易操作を受け付けると、前記制御部１１は、前記読取部２０に前記原稿ＯＲ１の読み取りを開始させ、前記原稿ＯＲ１の読み取りが完了するまでの読取期間Ｔ２を含む表示期間Ｔ１（図３Ａ〜３Ｃ参照）において読み取り中を示す第一画面Ｄ１を前記表示部１８に表示させ、前記表示期間Ｔ１の後に前記第一画面Ｄ１とは異なる第二画面Ｄ２を前記表示部１８に表示させる。前記表示期間Ｔ１に含まれる受付期間Ｔ４において前記操作受付部１９が前記出力設定の変更操作を受け付けることが可能であり、前記変更操作が受け付けられると変更された前記出力設定に従って前記制御部１１が前記画像データＤＡ１の前記出力処理を行う。
【００１１】
態様１において、ユーザーが簡易操作を行うと、原稿ＯＲ１の読み取りが開始し、原稿ＯＲ１の読み取りが完了するまでの読取期間Ｔ２を含む表示期間Ｔ１において第一画面Ｄ１が表示され、表示期間Ｔ１の後に第二画面Ｄ２が表示される。原稿ＯＲ１を読み取ることにより生成された画像データＤＡ１は、出力設定に従って出力される。ここで、表示期間Ｔ１に含まれる受付期間Ｔ４においてユーザーは出力設定の変更操作を行うことが可能であり、該変更操作が行われると変更された出力設定に従って画像データＤＡ１が出力される。これにより、簡易操作の使い勝手を残しながらユーザーは意図しない出力設定を変更することが可能となる。従って、本態様は、出力先を選択する簡易操作の使い勝手を向上させる画像読取装置を提供することができる。
【００１２】
ここで、画像読取装置には、スキャナー、ファクシミリ、原稿の読み取り機能と画像データの出力機能を備える複合機、等が含まれる。
操作受付部には、表示パネルの表面に貼り付けられたタッチパネル、ハードキー、等が含まれる。
出力設定には、出力先の他、画像データのファイル形式、画像データの解像度、等が含まれる。
簡易操作には、原稿の読み取りと画像データのネットワーク送信（メール送信を含む。）を指示する操作、原稿のファクシミリ送信を指示する操作、等が含まれる。
第一画面を表示する表示期間は、読取期間と一致してもよいし、読取期間より長くてもよい。
変更操作の受付期間は、表示期間と一致してもよいし、表示期間より短くてもよい。
本願における「第一」、「第二」、「第三」、…は、各構成要素を識別するための用語であり、順番を意味しない。
尚、上述した付言は、以下の態様においても適用される。
【００１３】
態様２：
図２等に例示するように、前記変更操作は、前記出力先を変更する出力先変更操作を含んでいてもよい。前記第一画面Ｄ１は、前記出力先変更操作を受け付けるための出力先変更受付部（例えば宛先変更ボタンＢ２）を含んでいてもよい。前記操作受付部１９が前記出力先変更受付部（Ｂ２）に対応付けられている前記出力先変更操作を受け付けると、変更された前記出力先に前記制御部１１が前記画像データＤＡ１の出力処理を行ってもよい。
態様２の場合、第一画面Ｄ１の表示期間Ｔ１に含まれる受付期間Ｔ４においてユーザーは出力先変更操作を行うことが可能であり、該出力先変更操作が行われると変更された出力先に画像データＤＡ１が出力される。これにより、簡易操作の使い勝手を残しながら意図しない出力先を変更することが可能となる。従って、本態様は、簡易操作の使い勝手を向上させる好適な例を提供することができる。
【００１４】
態様３：
図３Ａ〜３Ｃ等に例示するように、前記表示期間Ｔ１は、前記出力設定の変更操作を受け付け可能な最低限の期間である所定期間Ｔ３と、前記読取期間Ｔ２と、のうち長い方の期間でもよい。前記受付期間Ｔ４は、前記所定期間Ｔ３を含んでいてもよい。
態様３の場合、読取期間Ｔ２が短くても、少なくとも所定期間Ｔ３において出力設定の変更操作を行うことが可能である。従って、本態様は、簡易操作の使い勝手を向上させる好適な例を提供することができる。
【００１５】
態様４：
図５等に例示するように、前記制御部１１は、前記変更操作の受け付けが完了した時点において、前記原稿ＯＲ１の読み取りが完了している場合に前記第二画面Ｄ２を前記表示部１８に表示させてもよく、前記原稿ＯＲ１の読み取りが完了していない場合に前記第一画面Ｄ１を前記表示部１８に表示させてもよい。この態様は、変更操作の完了時に原稿ＯＲ１の読み取りが完了しているか否かをユーザーが確認することができるので、簡易操作の使い勝手を向上させる好適な例を提供することができる。
【００１６】
態様５：
図６Ｃ，１１Ｃ等に例示するように、前記制御部１１は、変更された前記出力設定を表す情報（例えば図６Ｃ，１１Ｃ等に示す出力設定情報ＩＭ１）を含む前記第一画面Ｄ１を前記表示部１８に表示させてもよい。この態様は、第一画面Ｄ１を見たユーザーが変更後の出力設定を確認することができるので、簡易操作の使い勝手を向上させる好適な例を提供することができる。
【００１７】
態様６：
図１０に例示するように、変更された前記出力設定を表す情報（例えば図１０の第一画面Ｄ１４に示す出力設定情報ＩＭ１）を含む前記第一画面Ｄ１を前記制御部１１が前記表示部１８に表示させた後、前記受付期間Ｔ４において前記操作受付部１９が前記変更操作をさらに受け付けてもよい。前記制御部１１は、前記変更操作がさらに受け付けられると変更された前記出力設定を表す情報（例えば図１０の第一画面Ｄ１５に示す出力設定情報ＩＭ１）を含む前記第一画面Ｄ１を前記表示部１８に表示させてもよく、さらに変更された前記出力設定に従って前記画像データＤＡ１の出力処理を行ってもよい。本態様は、受付期間Ｔ４においてユーザーが出力設定の変更操作をさらに行うことが可能であり、さらに変更された出力設定をユーザーが確認することができるので、簡易操作の使い勝手を向上させるさらに好適な例を提供することができる。
【００１８】
態様７：
ところで、図１，４，５等に例示するように、本技術の一態様に係る制御方法は、原稿ＯＲ１を読み取ることにより画像データＤＡ１を生成する読取部２０と、画面Ｄ０を表示する表示部１８と、を備え、前記画像データＤＡ１を出力する出力先を含む出力設定に従って前記画像データＤＡ１の出力処理を行う画像読取装置１０の制御方法であって、第一工程ＳＴ１、第二工程ＳＴ２、第三工程ＳＴ３、及び、第四工程ＳＴ４を含む。前記第一工程ＳＴ１は、前記出力先を選択する簡易操作を受け付ける工程である。前記第二工程ＳＴ２は、前記簡易操作が受け付けられると、前記読取部２０に前記原稿ＯＲ１の読み取りを開始させ、前記原稿ＯＲ１の読み取りが完了するまでの読取期間Ｔ２を含む表示期間Ｔ１において読み取り中を示す第一画面Ｄ１を前記表示部１８に表示させる工程である。前記第三工程ＳＴ３は、前記表示期間Ｔ１の後に前記第一画面Ｄ１とは異なる第二画面Ｄ２を前記表示部１８に表示させる工程である。前記第四工程ＳＴ４は、前記表示期間Ｔ１に含まれる受付期間Ｔ４において前記出力設定の変更操作が行われた場合に該変更操作を受け付け、変更された前記出力設定に従って前記画像データＤＡ１の出力処理を行う工程である。
【００１９】
態様７において、ユーザーが簡易操作を行うと、原稿ＯＲ１の読み取りが開始し、原稿ＯＲ１の読み取りが完了するまでの読取期間Ｔ２を含む表示期間Ｔ１において第一画面Ｄ１が表示され、表示期間Ｔ１の後に第二画面Ｄ２が表示される。ここで、表示期間Ｔ１に含まれる受付期間Ｔ４においてユーザーは出力設定の変更操作を行うことが可能であり、該変更操作が行われると変更された出力設定に従って画像データＤＡ１が出力される。これにより、簡易操作の使い勝手を残しながらユーザーは意図しない出力設定を変更することが可能となる。従って、本態様は、出力先を選択する簡易操作の使い勝手を向上させる画像読取装置の制御方法を提供することができる。
【００２０】
さらに、本技術は、画像読取装置を含む画像読取システム、画像読取システムの制御方法、画像読取装置の制御プログラム、画像読取システムの制御プログラム、前述のいずれかの制御プログラムを記録したコンピューター読み取り可能な媒体、等に適用可能である。画像読取装置や画像読取システムは、分散した複数の部分で構成されてもよい。
【００２１】
（２）画像読取装置の具体例：
図１は、画像読取システムの構成を模式的に例示している。図１に示す画像読取システムＳＹ１は、画像読取装置１０と１以上の外部端末１００を含んでいる。
【００２２】
図１に示す画像読取装置１０は、原稿ＯＲ１を読み取るスキャナーであり、原稿ＯＲ１を読み取ることにより生成される画像データＤＡ１を出力する。画像データＤＡ１は、原稿ＯＲ１の読み取りデータである。画像読取装置１０は、プロセッサーであるＣＰＵ１２、半導体メモリーであるＲＯＭ１３、半導体メモリーであるＲＡＭ１４、時計回路１５、不揮発性メモリー１６、操作パネル１７、読取部２０、ＬＡＮインターフェイス２３、及び、ＵＳＢインターフェイス２４を備えている。ここで、ＣＰＵはCentral Processing Unitの略称であり、ＲＯＭはRead Only Memoryの略称であり、ＲＡＭはRandom Access Memoryの略称であり、ＬＡＮはLocal Area Networkの略称であり、ＵＳＢはUniversal Serial Busの略称であり、図１に示すＩ／Ｆはインターフェイスの略称である。コンピューターを画像読取装置１０として機能させる制御プログラムＰＲ０は、ＲＯＭ１３と不揮発性メモリー１６の少なくとも一方に保持され、ＣＰＵ１２により実行される。ＣＰＵ１２は、ＲＡＭ１４をワークエリアとして使用しながらプログラムＰＲ０を実行することにより、操作パネル１７の制御処理、読取部２０の制御処理、画像データＤＡ１の出力処理、といった各種処理を行う。前述の要素１２〜１５は、制御部１１の例である。制御部１１を構成するプロセッサーは、一つのＣＰＵに限定されず、複数のＣＰＵ、ＡＳＩＣといったハードウェア回路、ＣＰＵとハードウェア回路との組合せ、等でもよい。ここで、ＡＳＩＣは、Application Specific Integrated Circuitの略称である。ＲＡＭ１４は、画像データＤＡ１を一時的に格納するバッファーを含んでいる。
【００２３】
不揮発性メモリー１６には、フラッシュメモリーといった半導体メモリー、ハードディスクといった磁気記録媒体、等を用いることができる。不揮発性メモリー１６は、プログラムＰＲ０を記憶すると、プログラムＰＲ０を記録したコンピューター読み取り可能な媒体となる。
【００２４】
操作パネル１７は、画面Ｄ０を表示する表示部１８、及び、画面Ｄ０に対する操作を受け付ける操作受付部１９を備えている。表示部１８には、液晶パネルといった表示パネル等を用いることができる。操作受付部１９には、表示パネルの表面に貼り付けられたタッチパネル、キーボードを含むハードキー、等を用いることができる。
【００２５】
読取部２０は、原稿ＯＲ１を搬送方向へ搬送する搬送部２１、及び、原稿ＯＲ１から画像データＤＡ１を生成するデータ生成部２２を備えている。原稿ＯＲ１は、紙が代表的であるが、合成樹脂シートといったシート状媒体でもよい。原稿ＯＲ１に現れているオブジェクトには、文字、写真、絵画、等がある。ただし、原稿ＯＲ１に白紙が混じることもある。
【００２６】
搬送部２１は、原稿スタッカー、データ生成部２２を通る搬送経路に設置された複数組のローラー対、複数のローラーの一部を回転駆動するサーボモーター、等を備え、原稿スタッカーにセットされた原稿ＯＲ１を搬送経路に沿って搬送する。搬送部２１を備える画像読取装置１０は、シートフィードスキャナーの一種である。搬送部２１が複数枚の原稿ＯＲ１を連続してデータ生成部２２に送る場合、搬送部２１はＡＤＦや自動給紙装置と呼ばれる。ここで、ＡＤＦは、Auto Document Feederの略称である。
【００２７】
データ生成部２２は、搬送経路にある原稿ＯＲ１に光を照射する光源、光電変換するイメージセンサー、原稿ＯＲ１からの反射光をイメージセンサーに導く受光光学系、イメージセンサーから出力されるアナログ電気信号をデジタル画素値群に変換するアナログ−デジタル変換部、画素値群に基づく画像データＤＡ１をバッファーとしてのＲＡＭ１４に格納する画像データ格納処理部、等を備えている。原稿ＯＲ１に現れているオブジェクトを反射した光が受光光学系を通ってイメージセンサーにより電気信号に変換されると、イメージセンサーから出力される画素値群に基づく画像データＤＡ１がＲＡＭ１４に格納される。従って、搬送部２１により搬送された原稿ＯＲ１が読み取られることにより画像データＤＡ１が得られ、画像データＤＡ１がバッファーに格納される。このように、読取部２０は、原稿ＯＲ１を読み取ることにより画像データＤＡ１を生成する。
【００２８】
ＬＡＮインターフェイス２３は、有線又は無線のＬＡＮに接続され、ＬＡＮに接続された外部端末１００との間で所定の通信プロトコルに従ってデータを送受信する。外部端末１００は、インターネットを介してＬＡＮに接続されてもよい。ＬＡＮ等のネットワークに接続された画像読取装置１０は、ネットワークスキャナーとも呼ばれる。ＵＳＢインターフェイス２４は、ＵＳＢケーブルを介して外部端末１００との間でＵＳＢ規格に従ってデータを送受信する。尚、外部端末１００と通信する通信インターフェイスは、前述のインターフェイス２３，２４に限定されず、Ｗｉ−Ｆｉダイレクト方式に従ったインターフェイス、ＬＡＮを介さずにインターネットに接続するインターフェイス、等でもよい。
【００２９】
画像読取システムＳＹ１に使用可能な外部端末１００は、パーソナルコンピューターやタブレット端末といったコンピューター、スマートフォンといった携帯電話、等、特に限定されない。画像読取装置１０は、ＲＡＭ１４に保持されている画像データＤＡ１を外部端末１００に送信可能である。画像読取装置１０は、簡易操作により画像データＤＡ１を出力する出力先を不揮発性メモリー１６に記憶している。図１には、ＬＡＮに接続されている３台の外部端末１００に出力先１〜３が割り当てられ、ＵＳＢケーブルを介してＵＳＢインターフェイス２４に接続されている外部端末１００に出力先４が割り当てられていることが示されている。出力先が外部端末１００である場合、外部端末１００を識別する送信宛先を出力先として扱うことができる。また、出力先は、画像読取装置に内蔵されている要素、例えば、記憶装置や印刷装置等でもよい。
【００３０】
尚、画像読取装置１０は、スキャナー専用機に限定されず、印刷機能、ファクシミリ通信機能、電子メール送信機能、等の少なくとも一部も備えている複合機でもよい。また、画像読取装置１０は、一つの筐体内に全構成要素を有していてもよいが、互いに通信可能に分割された複数の装置で構成されてもよい。
【００３１】
図２は、表示部１８に表示される画面Ｄ０の変化例を模式的に示している。最上部の画面Ｄ０１は、お気に入りの一覧画面を示している。各お気に入りは、出力先に対応付けられている。図１，２を参照して説明すると、例えば、「お気に入り１」、「お気に入り２」、「お気に入り３」、及び、「お気に入り４」をそれぞれ出力先１，２，３，４に対応付けることができる。お気に入りの一覧画面Ｄ０１が表示されている状態において、操作受付部１９は、一覧画面Ｄ０１に含まれる複数のお気に入りボタンＢ１のいずれかを選択する簡易操作を受け付ける。簡易操作は、画像データＤＡ１を出力する出力先を選択する操作であり、出力先を直接入力する場合と比べて少ない操作で原稿ＯＲ１の読み取りと画像データＤＡ１の送信を実行させる操作を意味する。画像データＤＡ１の送信は、メール送信でもよい。
例えば、ユーザーが指で「お気に入り２」ボタンに触れると、制御部１１は、原稿ＯＲ１を読取部２０に読み取らせる処理、及び、「お気に入り２」に対応付けられている出力先への出力処理を行う。このように、お気に入りボタンＢ１の操作により原稿ＯＲ１の読み取りと画像データＤＡ１の送信を実行させることができるので、お気に入りボタンＢ１の操作はダイレクト送信やクイックスタートやワンタッチ送信を指示する簡単でスピーディーな操作といえる。また、ホーム画面からお気に入りを呼び出した後にお気に入りを選択する操作も可能であり、この操作も出力先を直接入力する場合と比べて少ない簡易操作に含まれる。
【００３２】
ネットワークスキャナーは、パーソナルコンピューターといった外部コンピューターを介さずに読み取りデータを送信宛先に直接送信することができる。このため、読み取りデータを外部コンピューターに保存した後に別の場所にコピーされたり転送されたりするといったデータ漏えいを防止することができる。また、ユーザーは、よく使うスキャン設定をお気に入りに登録する操作を行うことにより、簡単でスピーディーなダイレクト送信をネットワークスキャナーに実行させることができる。このため、ネットワークスキャナーは、ＳＯＨＯといった中小企業から官庁や大企業まで幅広く使用されている。ここで、ＳＯＨＯは、Small Office／Home Officeの略称である。
【００３３】
操作受付部にタッチパネルが使用されている場合、タッチパネルに誤って指が触れることによりユーザーの意図しないダイレクト送信が開始してしまう可能性がある。このダイレクト送信が中止されなければ、誤送信になる。このように、ダイレクト送信は、簡単でスピーディーな操作で実現されるという便利な反面、誤送信、ひいてはデータ漏えいに繋がるリスクも秘めている。このようなリスクは、ダイレクト送信に限らず、種々の簡易操作を行う際に生じ得る。
【００３４】
本具体例では、図２に示すように、原稿ＯＲ１の読み取り中を示す第一画面Ｄ１を簡易操作の直後に表示することにしている。これにより、送信宛先に問題が無ければ何も操作しなくても画像データＤＡ１が送信されるようにし、送信宛先に問題があれば送信宛先を修正することができるようにしている。従って、ダイレクト送信の便利な使い勝手は残っており、ユーザーの意図しない簡易操作を変更することが可能である。
【００３５】
図２に示す第一画面Ｄ１は、一覧画面Ｄ０１からいずれか一つのお気に入りボタンＢ１が操作された直後に表示部１８に表示され、操作されたお気に入りボタンＢ１に対応付けられている送信宛先の表示領域を有している。第一画面Ｄ１は、送信宛先を変更する出力先変更操作を受け付けるための宛先変更ボタンＢ２も有している。宛先変更ボタンＢ２は、出力先変更受付部の例である。後述する表示期間Ｔ１の間に宛先変更ボタンＢ２に触れる操作が行われると、送信宛先の変更操作を受け付ける宛先変更画面Ｄ０２が表示部１８に表示される。宛先変更画面Ｄ０２は、複数の宛先ボタンＢ３を有している。操作受付部１９は、複数の宛先ボタンＢ３のいずれかを選択する操作を受け付ける。例えば、ユーザーが指で「hijklm」ボタンに触れると、送信宛先が「abcdef…」から「hijklm…」に変更される。表示期間Ｔ１の直後には、変更された送信宛先への画像データＤＡ１の送信中を示す第二画面Ｄ２１が表示部１８に表示される。第二画面Ｄ２１は、変更された送信宛先を表す出力設定情報ＩＭ１の表示領域を有している。画像データＤＡ１の送信が完了すると、送信終了画面Ｄ０３が表示部１８に表示される。
【００３６】
第一画面Ｄ１が表示されてから表示期間Ｔ１の間に何も操作が行われないと、変更されていない送信宛先への画像データＤＡ１の送信中を示す第二画面Ｄ２２が表示部１８に表示される。第二画面Ｄ２２は、変更されていない送信宛先を表す情報の表示領域を有している。画像データＤＡ１の送信が完了すると、送信終了画面Ｄ０３が表示部１８に表示される。尚、第二画面Ｄ２１，Ｄ２２は、本技術の第二画面Ｄ２に含まれる。
【００３７】
図３Ａ〜３Ｃは、画面Ｄ０が切り替わるタイミングの例を模式的に示している。
図３Ａは、読み取り中を示す第一画面Ｄ１を表示する最低限の所定期間Ｔ３よりも原稿ＯＲ１の読取期間Ｔ２の方が長い場合の画面Ｄ０の変化例を示している。この場合、第一画面Ｄ１の表示期間Ｔ１は、読取期間Ｔ２となる。図３Ａに示す所定期間Ｔ３は、送信宛先の変更操作を受け付ける受付期間Ｔ４と一致している。図３Ａにおいて、簡易操作の開始時点「Start」から所定期間Ｔ３の間、宛先変更ボタンＢ２を有する第一画面Ｄ１１が表示部１８に表示される。尚、図３Ａに示す第一画面Ｄ１１は簡略化されており、第一画面Ｄ１１の詳細な例は後述する図６Ａに示されている。所定期間Ｔ３の経過直後から読取期間Ｔ２が終了するまでの間、宛先変更ボタンＢ２の無い第一画面Ｄ１２が表示部１８に表示される。尚、第一画面Ｄ１１，Ｄ１２は、本技術の第一画面Ｄ１に含まれる。読取期間Ｔ２の経過直後から画像データＤＡ１の送信が完了するまでの間、送信中を示す第二画面Ｄ２が表示部１８に表示される。
【００３８】
ここで、図３Ｂに示すように、所定期間Ｔ３の経過直後から読取期間Ｔ２が終了するまでの間も、宛先変更ボタンＢ２を有する第一画面Ｄ１１が表示部１８に表示されてもよい。この場合、受付期間Ｔ４は、読取期間Ｔ２となり、読取期間Ｔ２が終了するまで送信宛先の変更操作が受け付けられる。
【００３９】
図３Ｃは、原稿ＯＲ１の読取期間Ｔ２が最低限の所定期間Ｔ３よりも短い場合の画面Ｄ０の変化例を示している。この場合、第一画面Ｄ１の表示期間Ｔ１は、所定期間Ｔ３となる。図３Ｃに示す所定期間Ｔ３は、送信宛先の変更操作を受け付ける受付期間Ｔ４と一致している。図３Ｃにおいて、簡易操作の開始時点「Start」から所定期間Ｔ３の間、宛先変更ボタンＢ２を有する第一画面Ｄ１１が表示部１８に表示される。従って、表示期間Ｔ１は所定期間Ｔ３と読取期間Ｔ２のうち長い方の期間であり、受付期間Ｔ４は所定期間Ｔ３を含んでいる。所定期間Ｔ３の経過直後から画像データＤＡ１の送信が完了するまでの間、送信中を示す第二画面Ｄ２が表示部１８に表示される。
送信宛先の変更操作を受け付け可能な最低限の期間である所定期間Ｔ３は、ユーザーが第一画面Ｄ１の送信宛先を見てから送信宛先の変更を開始する操作を行うまでに十分と考えられる時間、例えば、５〜１５秒程度に設定される。
【００４０】
（３）画像読取装置が行う処理の第一具体例：
図４は、制御部１１が行う主処理を模式的に例示している。ここで、ステップＳ１０２〜Ｓ１０８は、送信宛先を選択する簡易操作を受け付ける第一工程ＳＴ１に対応している。以下、「ステップ」の記載を省略する。制御部１１は、マルチタスクにより複数の処理を並列して実行している。
【００４１】
主処理が開始すると、制御部１１は、Ｓ１０２において不図示のホーム画面を表示部１８に表示させ、Ｓ１０４において操作受付部１９が受け付けた操作に応じて処理を分岐させる。例えば、ホーム画面においてお気に入り一覧表示欄に触れる操作が受け付けられると、制御部１１は、Ｓ１０６において、図２で示したようなお気に入りの一覧画面Ｄ０１を表示部１８に表示させる。Ｓ１０８において、制御部１１は、操作受付部１９が受け付けた操作に応じて処理を分岐させる。例えば、図２で示した複数のお気に入りボタンＢ１のいずれかに触れる操作が受け付けられると、制御部１１は、Ｓ１１０においてダイレクト送信処理を行い、処理をＳ１０２に戻す。
尚、ホーム画面にお気に入りの一覧がある場合、Ｓ１０４〜Ｓ１０６の処理を省略可能である。
【００４２】
図５は、Ｓ１１０において制御部１１が行うダイレクト送信処理を模式的に例示している。ここで、Ｓ２０２〜Ｓ２０４は第二工程ＳＴ２に対応し、Ｓ２２６は第三工程ＳＴ３に対応し、Ｓ２０６〜Ｓ２２４は第四工程ＳＴ４に対応している。図５に示すダイレクト送信処理が行われる前提として、画像読取装置１０は、原稿ＯＲ１を全て読み取ってから画像データＤＡ１の送信を開始する溜め込み型スキャンを行うものとする。また、Ｓ２１０，Ｓ２１８で使用されるスキャン完了フラグがＲＡＭ１４に用意され、このスキャン完了フラグがオフにされているものとする。
ダイレクト送信処理が開始すると、制御部１１は、Ｓ２０２において、読み取り中を示す第一画面Ｄ１を表示する最低限の所定期間Ｔ３秒を測定するカウントダウンタイマーを設定する。例えば、制御部１１は、時計回路１５から現在時刻を取得し、現在時刻からＴ３秒後の終了時刻を計算し、得られた終了時刻をＲＡＭ１４に格納すればよい。
【００４３】
カウントダウンタイマーの設定後、制御部１１は、Ｓ２０４において、読取部２０に原稿ＯＲ１の読み取りを開始させ、図６Ａに示す第一画面Ｄ１１を表示部１８に表示させる。第一画面Ｄ１１は、送信宛先を表す情報の表示領域、出力先変更受付部としての宛先変更ボタンＢ２、中止ボタンＢ４、等を有している。第一画面Ｄ１１の表示後、制御部１１は、Ｓ２０６において、宛先変更ボタンＢ２が操作されたか否かに応じて処理を分岐させる。尚、中止ボタンＢ４が操作された場合、制御部１１は、ダイレクト送信処理を終了させる。
【００４４】
宛先変更ボタンＢ２が操作されていない場合、制御部１１は、Ｓ２０８において、原稿ＯＲ１の読み取りが完了したか否かに応じて処理を分岐させる。尚、図５に示すフローチャートには、原稿ＯＲ１の読み取りがスキャンと記載され、画像データＤＡ１がスキャンデータと記載されている。原稿ＯＲ１の読み取りが完了した場合、制御部１１は、Ｓ２１０においてスキャン完了フラグをオンにし、処理をＳ２１２に進める。原稿ＯＲ１の読み取りが完了していない場合、制御部１１は、Ｓ２１０の処理を行わずに処理をＳ２１２に進める。
【００４５】
Ｓ２１２において、制御部１１は、所定期間Ｔ３が経過したか否かに応じて処理を分岐させる。例えば、時計回路１５の現在時刻が上述の終了時刻を過ぎている場合、所定時間Ｔ３が経過したので、制御部１１は、処理をＳ２１８に進める。時計回路１５の現在時刻が上述の終了時刻を過ぎていない場合、制御部１１は、処理をＳ２０６に戻す。
【００４６】
Ｓ２０６において宛先変更ボタンＢ２が操作されたと判断された場合、制御部１１は、Ｓ２１４において、カウントダウンタイマーを停止させる。例えば、制御部１１は、上述の終了時刻をリセットすればよい。カウントダウンタイマーの停止後、制御部１１は、Ｓ２１６において、図６Ｂに示す宛先変更画面Ｄ０２を表示部１８に表示させ、操作受付部１９による出力先変更操作を受け付ける。出力先変更操作は、図６Ａに示す宛先変更ボタンＢ２に対応付けられている操作である。宛先変更画面Ｄ０２は、複数の宛先ボタンＢ３、宛先決定ボタンＢ５、スキャン中止ボタンＢ６、等を有している。例えば、操作受付部１９が複数の宛先ボタンＢ３のいずれかを選択する操作を受け付けた後に宛先決定ボタンＢ５への操作を受け付けると、制御部１１は、選択された宛先ボタンＢ３に対応付けられている送信宛先を変更後の送信宛先として受け付ける。その後、制御部１１は、処理をＳ２１８に進める。尚、スキャン中止ボタンＢ６が操作された場合、制御部１１は、ダイレクト送信処理を終了させる。
【００４７】
以上より、第一画面Ｄ１１が表示されている状態で所定期間Ｔ３の間に送信宛先の変更操作が行われなかった場合、Ｓ２０６〜Ｓ２１２の処理が繰り返された後に処理がＳ２１２に進められる。送信宛先の変更操作は、少なくとも所定期間Ｔ３を受付期間Ｔ４として受け付けられる。第一画面Ｄ１１が表示されている時に送信宛先の変更操作が行われた場合、所定期間Ｔ３が経過していなくても処理がＳ２１２に進められる。
【００４８】
Ｓ２１８において、制御部１１は、スキャン完了フラグの状態に応じて処理を分岐させる。
スキャン完了フラグがオフである場合、制御部１１は、Ｓ２２０において、図６Ｃに示す第一画面Ｄ１３を表示部１８に表示させる。第一画面Ｄ１３は、変更された送信宛先を表す出力設定情報ＩＭ１の表示領域、送信宛先以外の出力設定を表す情報の表示領域、宛先変更ボタンＢ２、中止ボタンＢ４、等を有している。尚、第一画面Ｄ１３は、第一画面Ｄ１１とともに本技術の第一画面Ｄ１に含まれる。第一画面Ｄ１３の表示後、制御部１１は、Ｓ２２２において、原稿ＯＲ１の読み取りが完了するまで待機する。ここで、宛先変更ボタンＢ２が操作された場合、制御部１１は、処理をＳ２１６に戻してもよい。第一画面Ｄ１３には、宛先変更ボタンＢ２が無くてもよい。中止ボタンＢ４が操作された場合、制御部１１は、ダイレクト送信処理を終了させる。
【００４９】
Ｓ２１８の判断処理においてスキャン完了フラグがオンである場合、制御部１１は、Ｓ２２０〜Ｓ２２２の処理を行わずに処理をＳ２２４に進める。
以上より、読み取り中を示す第一画面Ｄ１は、原稿ＯＲ１の読み取りが完了するまでの読取期間Ｔ２を含む表示期間Ｔ１において表示される。
【００５０】
Ｓ２２４において、制御部１１は、バッファーに溜め込まれた画像データＤＡ１を送信宛先に送信する出力処理を行う。ここで、宛先変更ボタンＢ２に対応付けられている出力先変更操作が受け付けられた場合、すなわち、送信宛先の変更操作が受け付けられた場合、変更された送信宛先に画像データＤＡ１が送信される。送信宛先の変更操作が受け付けられなかった場合、変更されていない送信宛先に画像データＤＡ１が送信される。
【００５１】
また、制御部１１は、Ｓ２２６において、画像データＤＡ１の送信が完了するまで、図７Ａ，７Ｂに示す第二画面Ｄ２を表示部１８に表示させる。画像データＤＡ１の送信中を示す第二画面Ｄ２は、原稿ＯＲ１の読み取り中を示す第一画面Ｄ１の表示期間Ｔ１の後に表示される。ここで、送信宛先の変更操作が受け付けられた場合、制御部１１は、図７Ａに示すように、変更された送信宛先を表す出力設定情報ＩＭ１の表示領域を有する第二画面Ｄ２１を表示部１８に表示させる。また、送信宛先の変更操作の受け付けが完了した時点において、原稿ＯＲ１の読み取りが完了している場合に第二画面Ｄ２が表示され、原稿ＯＲ１の読み取りが完了していない場合に第一画面Ｄ１が表示される。送信宛先の変更操作が受け付けられなかった場合、制御部１１は、図７Ｂに示すように、変更されていない送信宛先を表す情報の表示領域を有する第二画面Ｄ２２を表示部１８に表示させる。尚、第二画面Ｄ２１，Ｄ２２は、第二画面Ｄ２に含まれる。第二画面Ｄ２の表示後、制御部１１は、ダイレクト送信処理を終了させる。
【００５２】
以上説明したように、ユーザーが簡易操作を行うと、原稿ＯＲ１の読み取りが開始し、原稿ＯＲ１の読み取りが完了するまでの読取期間Ｔ２を含む表示期間Ｔ１において読み取り中を示す第一画面Ｄ１が表示される。表示期間Ｔ１に含まれる受付期間Ｔ４において、ユーザーは送信宛先の変更操作を行うことが可能である。このように、本具体例は、送信宛先が誤っていた場合に送信宛先を修正することが可能であり、原稿の読み取りをキャンセルして送信宛先を選び直す必要が無いため、ユーザーのダウンタイムを軽減することも可能である。
【００５３】
表示期間Ｔ１の後は、簡易操作に対応する送信宛先、又は、変更された送信宛先に画像データＤＡ１が送信され、送信中を示す第二画面Ｄ２が表示される。ここで、送信宛先が変更されない場合、何も操作されなくても画像データＤＡ１が送信される。このため、送信宛先が正しい場合、読み取り中を示す第一画面Ｄ１に対して操作をする必要が無い。
従って、本具体例は、簡易操作の使い勝手を残しながらユーザーは意図しない送信宛先を変更することが可能となり、送信宛先を選択する簡易操作の使い勝手を向上させることができる。
【００５４】
（４）画像読取装置が行う処理の第二具体例：
画像読取装置には、バッファーの容量が比較的少ないために、原稿を少しずつ読み取りながら画像データＤＡ１を送信する逐次型スキャンを行う装置がある。まず、図８を参照して、画像読取装置が行う逐次型スキャンの処理の例を説明する。尚、逐次型スキャンを行う画像読取装置の構成は、図１で示した画像読取装置１０と実質的に同じであるので、図１で示した符号を用い、詳細な説明を省略する。また、表示部１８に表示される画面Ｄ０は、第一具体例で示した各種画面を引用する。図８に示すデータ送信処理が行われる前提として、Ｓ３２２で使用される転送禁止フラグがＲＡＭ１４に用意され、通常時は転送禁止フラグがオフにされているものとする。
【００５５】
操作受付部１９が原稿ＯＲ１の読み取りと画像データＤＡ１の送信を開始させる操作を受け付けると、読取部２０は、読取処理を開始し、Ｓ３０２において、原稿ＯＲ１の読み取りを開始する。次に、読取部２０は、Ｓ３０４において、画像データＤＡ１を１ページ分といった所定量、バッファーに蓄積可能であるか否かに応じて処理を分岐させる。所定量の画像データＤＡ１をバッファーに蓄積することができない場合、読取部２０は、Ｓ３０６において原稿ＯＲ１の読み取りを中断し、処理をＳ３０４に戻す。所定量の画像データＤＡ１をバッファーに蓄積することができる場合、読取部２０は、Ｓ３０８において、所定量の原稿ＯＲ１の読み取りを実行し、所定量の画像データＤＡ１が生成されたことを制御部１１に通知する。その後、読取部２０は、Ｓ３１０において、原稿ＯＲ１が終了しているか否かに応じて処理を分岐させる。原稿ＯＲ１が終了していない場合、読取部２０は、Ｓ３０４〜Ｓ３１０の処理を繰り返す。原稿ＯＲ１が終了した場合、読取部２０は、原稿ＯＲ１が終了したことを制御部１１に通知し、読取処理を終了させる。
【００５６】
Ｓ３０８において原稿ＯＲ１の読み取りが行われると、制御部１１は、データ送信処理を開始し、Ｓ３２２において、転送禁止フラグがオンであればオフになるまで待機し、転送禁止フラグがオフであれば処理をＳ３２４に進める。Ｓ３２４において、制御部１１は、バッファー中の画像データＤＡ１を送信宛先に転送する。その後、制御部１１は、Ｓ３２６において、原稿ＯＲ１の全てに対応する画像データＤＡ１が転送されたか否かに応じて処理を分岐させる。転送されていない画像データＤＡ１が残っている場合、制御部１１は、Ｓ３２２〜Ｓ３２６の処理を繰り返す。原稿ＯＲ１の全てに対応する画像データＤＡ１が転送された場合、制御部１１は、データ送信処理を終了させる。
【００５７】
図９は、逐次型スキャンを行う画像読取装置１０の制御部１１が行うダイレクト送信処理を模式的に例示している。この処理は、図５で示したダイレクト送信処理と比べて、Ｓ２２４のスキャンデータ送信処理が無くなり、太線で囲まれたＳ４０２，Ｓ４０４の処理が追加されている。ここで、Ｓ４０２，Ｓ２０２〜Ｓ２０４は第二工程ＳＴ２に対応し、Ｓ２２６は第三工程ＳＴ３に対応し、Ｓ２０６〜Ｓ２１６，Ｓ４０４，Ｓ２１８〜Ｓ２２２は第四工程ＳＴ４に対応している。
【００５８】
ダイレクト送信処理が開始すると、制御部１１は、Ｓ４０２において、転送禁止フラグをオンにする。これにより、図８で示したデータ送信処理において画像データＤＡ１が転送されないようにされる。その結果、バッファーに所定量の画像データＤＡ１を蓄積することができなくなれば、原稿ＯＲ１の読み取りが中断する。その後、制御部１１は、Ｓ２０２〜Ｓ２１６の処理を行い、原稿ＯＲ１の読み取り中を示す第一画面Ｄ１を表示部１８に表示させ、送信宛先の変更操作が行われた場合に送信宛先を変更する。所定期間Ｔ３の経過後、又は、送信宛先の変更後、制御部１１は、Ｓ４０４において、転送禁止フラグをオンにする。これにより、図８で示したデータ送信処理において画像データＤＡ１が転送されるようになる。その後、制御部１１は、Ｓ２１８〜Ｓ２２２の処理を行い、原稿ＯＲ１の全ての読み取りが完了するとＳ２２６において画像データＤＡ１の送信中を示す第二画面Ｄ２を表示部１８に表示させ、ダイレクト送信処理を終了させる。
以上説明したように、逐次型スキャンを行う画像読取装置でも、簡易操作の使い勝手を残しながらユーザーの意図しない送信宛先を変更することが可能となり、送信宛先を選択する簡易操作の使い勝手を向上させることができる。
【００５９】
（５）変形例：
本発明は、種々の変形例が考えられる。
例えば、上述した処理は、順番を入れ替える等、適宜、変更可能である。例えば、図５，９のダイレクト送信処理において、Ｓ２０２の処理とＳ２０４の処理とを入れ替えることが可能である。
【００６０】
また、図１０に例示するように、原稿の読み取り中であれば、画像読取装置は何回でも送信宛先の変更操作を受け付けてもよい。図１０に示す第一画面Ｄ１１は、図２で示した一覧画面Ｄ０１からいずれか一つのお気に入りボタンＢ１が操作された直後に表示部１８に表示される。送信宛先の変更操作を受け付ける受付期間Ｔ４は、所定期間Ｔ３と読取期間Ｔ２のうち長い方の期間とする。第一画面Ｄ１１において受付期間Ｔ４の間に宛先変更ボタンＢ２に触れる操作が行われると、この操作を操作受付部１９が受け付け、制御部１１は宛先変更画面Ｄ０２を表示部１８に表示させる。宛先変更画面Ｄ０２からいずれが一つの宛先ボタンＢ３に触れる操作が行われると、この操作を操作受付部１９が受け付け、制御部１１は変更された送信宛先を表す出力設定情報ＩＭ１を含む第一画面Ｄ１４を表示部１８に表示させる。第一画面Ｄ１４は、表示期間Ｔ１が経過するまで、すなわち、読取期間Ｔ２と所定期間Ｔ３のうち長い方の期間が経過するまで、表示される。第一画面Ｄ１４において受付期間Ｔ４の間に宛先変更ボタンＢ２に触れる操作が行われると、この操作を操作受付部１９が受け付け、制御部１１は宛先変更画面Ｄ０４を表示部１８に表示させる。宛先変更画面Ｄ０４からいずれが一つの宛先ボタンＢ３に触れる操作が行われると、この操作を操作受付部１９が受け付け、制御部１１は変更された送信宛先を表す出力設定情報ＩＭ１を含む第一画面Ｄ１５を表示部１８に表示させる。第一画面Ｄ１５も、表示期間Ｔ１が経過するまで表示される。尚、第一画面Ｄ１４，Ｄ１５は、第一画面Ｄ１１とともに本技術の第一画面Ｄ１に含まれる。表示期間Ｔ１が経過するまで宛先変更ボタンＢ２に操作が行われなかった場合、制御部１１は、変更された送信宛先への画像データＤＡ１の送信中を示す第二画面Ｄ２１を表示部１８に表示させる。
【００６１】
以上より、変更された出力設定情報ＩＭ１を含む第一画面Ｄ１４が表示された後、ユーザーは、受付期間Ｔ４において送信宛先の変更操作を行うことが可能である。第一画面Ｄ１４において送信宛先の変更操作がさらに受け付けられると、さらに変更された出力設定情報ＩＭ１を含む第一画面Ｄ１５が表示され、さらに変更された送信宛先に画像データＤＡ１が出力される。従って、ユーザーはさらに変更された送信宛先を確認することができ、簡易操作の使い勝手が向上する。むろん、第一画面Ｄ１５において送信宛先の変更操作を行うことも可能であるので、受付期間Ｔ４において何回でも送信宛先を変更することができる。
【００６２】
さらに、図１１Ａ〜１１Ｃに例示するように、受付期間に変更操作を受け付ける出力設定は、送信宛先に限定されない。図１１Ａに示す第一画面Ｄ１６は、図２で示した一覧画面Ｄ０１からいずれか一つのお気に入りボタンＢ１が操作された直後に表示部１８に表示される。第一画面Ｄ１６は、送信宛先を表す情報の表示領域、出力先変更受付部としての出力設定変更ボタンＢ７、中止ボタンＢ４、等を有している。第一画面Ｄ１６において受付期間Ｔ４の間に出力設定変更ボタンＢ７に触れる操作が行われると、この操作を操作受付部１９が受け付け、制御部１１は図１１Ｂに示す出力設定変更画面Ｄ０５を表示部１８に表示させる。出力設定変更画面Ｄ０５は、送信宛先の選択欄Ｃ１、出力色の選択欄Ｃ２、ファイル形式の選択欄Ｃ３、片面読み取りか両面読み取りかの選択欄Ｃ４、及び、解像度の選択欄Ｃ５を有している。操作受付部１９は、選択欄Ｃ１〜Ｃ５において項目の選択操作を受け付ける。選択欄Ｃ１では、送信宛先を選択可能である。選択欄Ｃ２は、カラーとモノクロのいずれか一方を選択可能である。選択欄Ｃ３では、ファイル形式を選択可能である。選択欄Ｃ４では、片面読み取りと両面読み取りのいずれか一方を選択可能である。選択欄Ｃ５では、解像度を選択可能である。
【００６３】
選択欄Ｃ１〜Ｃ５のいずれかにおいて出力設定の変更操作が受け付けられると、制御部１１は、図１１Ｃに示すような第一画面Ｄ１７を表示部１８に表示させる。尚、第一画面Ｄ１６，Ｄ１７は、本技術の第一画面Ｄ１に含まれる。第一画面Ｄ１７は、変更された出力設定を表す出力設定情報ＩＭ１を含んでいる。図１１Ｃに示す出力設定情報ＩＭ１は、ファイル形式の選択欄Ｃ３においてＪＰＥＧが選択操作された場合の情報であり、ファイル形式が元のＰＤＦからＪＰＥＧに変更されたことを示している。この場合、制御部１１は、画像データＤＡ１をＪＰＥＧ形式のファイルに変換する。
【００６４】
変更前の出力設定において出力色がカラーである場合、出力色の選択欄Ｃ２においてモノクロの選択操作が可能である。選択欄Ｃ２においてモノクロが選択操作された場合、制御部１１は、生成された画像データをカラーから公知の変換式に従ってモノクロに変換する。変更前の出力設定において読み取りが両面である場合、選択欄Ｃ４において片面読み取りの選択操作が可能である。選択欄Ｃ４において片面読み取りが選択操作された場合、制御部１１は、生成された画像データから裏面のデータを削除する。変更前の出力設定において解像度が１２００ｄｐｉである場合、解像度の選択欄Ｃ５において１２００ｄｐｉ未満の解像度の選択操作が可能である。選択欄Ｃ５において６００ｄｐｉが選択操作された場合、制御部１１は、生成された画像データの解像度を１２００ｄｐｉから６００ｄｐｉに解像度変換する。
【００６５】
図１１Ａ〜１１Ｃに示す例は、送信宛先のみならず送信宛先以外の出力設定が誤っていた場合に出力設定を修正することが可能であり、出力設定が正しい場合に第一画面Ｄ１６に対して操作をする必要が無い。従って、簡易操作の使い勝手を残しながらユーザーは意図しない出力設定を変更することが可能となり、送信宛先を選択する簡易操作の使い勝手を向上させることができる。
【００６６】
（６）結び：
以上説明したように、本発明によると、種々の態様により、出力先を選択する簡易操作の使い勝手を向上させることが可能な画像読取装置等の技術を提供することができる。むろん、独立請求項に係る構成要件のみからなる技術でも、上述した基本的な作用、効果が得られる。
また、上述した例の中で開示した各構成を相互に置換したり組み合わせを変更したりした構成、公知技術及び上述した例の中で開示した各構成を相互に置換したり組み合わせを変更したりした構成、等も実施可能である。本発明は、これらの構成等も含まれる。
【符号の説明】
【００６７】
１０…画像読取装置、１１…制御部、１５…時計回路、１７…操作パネル、１８…表示部、１９…操作受付部、２０…読取部、１００…外部端末、Ｂ１…お気に入りボタン、Ｂ２，Ｂ７…変更ボタン、Ｂ３…宛先ボタン、Ｂ４…中止ボタン、Ｂ５…宛先決定ボタン、Ｂ６…スキャン中止ボタン、Ｄ０…画面、Ｄ０１…一覧画面、Ｄ０２，Ｄ０４…宛先変更画面、Ｄ０３…送信終了画面、Ｄ０５…出力設定変更画面、Ｄ１…第一画面、Ｄ２…第二画面、ＤＡ１…画像データ、ＩＭ１…出力設定情報、ＯＲ１…原稿、Ｔ１…表示期間、Ｔ２…読取期間、Ｔ３…所定期間、Ｔ４…受付期間。
【図１】
2020191540.tif 000003
【図２】
2020191540.tif 000004
【図３】
2020191540.tif 000005
【図４】
2020191540.tif 000006
【図５】
2020191540.tif 000007
【図６】
2020191540.tif 000008
【図７】
2020191540.tif 000009
【図８】
2020191540.tif 000010
【図９】
2020191540.tif 000011
【図１０】
2020191540.tif 000012
【図１１】
2020191540.tif 000013